(57)【要約】【課題】アンテナケーブルとの接続や通信回線との接続に左右されることなく、家庭において何処ででもテレビ放送番組の視聴を可能にするとともに、インターネットなどのネットワークへの接続をも可能にする。【解決手段】選局装置１と表示装置２とは別体とされている。選局装置１により、放送信号を受信、選局し、この選局された信号から送信信号を形成して、これを無線送信する。選局装置１からの無線信号は、表示装置２により受信され、その受信された信号の画像信号に応じた画像が表示素子であるＬＣＤ２５に表示される。本発明は、例えばテレビジョン受像機に適用できる。【選択図】図１
2010206833.tif 000002
【特許請求の範囲】
【請求項１】
選局装置から送信信号を受信して、前記送信信号の画像信号に応じた画像を表示素子に表示するとともに、放送信号の選局を指示する指示信号、およびネットワークを介して送受信する電子メールを前記選局装置に対して無線通信する表示装置であって、
使用者から、前記指示信号および前記ネットワークを介して送信する前記電子メールの入力を受け付ける入力受付手段と、
前記表示装置ごとに固有に定められた情報を含む、前記入力受付手段により入力された前記指示信号および前記ネットワークを介して送信する前記電子メールを前記選局装置に送信するとともに、前記選局装置から前記送信信号および前記ネットワークを介して前記選局装置が受信した前記電子メールを受信する通信手段と、
前記通信手段により受信された前記送信信号の画像信号に応じた画像および前記ネットワークを介して前記選局装置が受信した前記電子メールを表示素子に表示する表示手段と、
前記表示手段の外側に配置され、テレビモードに切り換えるとき操作されるテレビモード切り換えキーと、
前記表示手段の外側に配置され、電子メールモードに切り換えるとき操作される電子メールモード切り換えキーと、
前記表示手段の外側に配置され、インターネットモードに切り換えるとき操作されるインターネットモード切り換えキーと
を備える表示装置。
【発明の詳細な説明】
【技術分野】
【０００１】
この発明は、例えば、テレビ放送などの放送信号を受信して利用できるようにするとともに、通信回線を通じて情報の送受信が可能なシステムおよび装置に関する。
【背景技術】
【０００２】
通信機能を備えたパーソナルコンピュータを用い、電話回線などの通信回線を通じてインターネットに接続することにより、インターネットを通じて提供される様々な情報やサービスを利用する人が多くなってきている。そして、不慣れな使用者にとっては、操作が複雑なパーソナルコンピュータを用いることなく、簡単にインターネットを通じて提供される情報やサービスを利用できるようにするため、インターネットへの接続機能を備えたテレビ受像機が提供されるようになってきている。
【０００３】
このインターネットへの接続機能を備えたテレビ受像機は、目的とするテレビ放送番組の放送信号を受信、選局して視聴できるようにすることができるとともに、通信機能を備え、電話回線などの通信回線を通じてインターネットに接続して、画像情報やテキスト情報の提供を受けて、これらをディスプレイの表示画面に表示したり、電子メールの作成、送信、受信なども比較的に簡単に行えるようにされたものである。
【発明の概要】
【発明が解決しようとする課題】
【０００４】
ところで、前述のインターネットへの接続機能を備えたテレビ受像機の場合、インターネットに接続するためには、電話網から屋内に引き込まれた電話線を接続しなければならない。屋内に引き込まれた電話線との接続端子（モジュラージャック）は、屋内の壁などの所定の位置に固定的に設けられる。このため、屋内に設けられた電話線との接続端子の位置に応じて、インターネットへの接続機能を備えたテレビ受像機の設置位置がある程度制限されてしまう。
【０００５】
また、通常のテレビ受像機として用いる場合であっても、屋外のアンテナなどから、屋内に引き込まれたアンテナケーブルをテレビ受像機に接続しなければならない。しかし、アンテナケーブルとの接続端子もまた、電話線との接続端子と同様に、屋内の壁などの所定の位置に固定的に設けられる。このため、屋内に設けられたアンテナケーブルとの接続端子の位置をも考慮すると、テレビ受像機の設置位置はほぼ決まってしまい、使用者の目的とする位置にテレビ受像機を設置することができない場合がある。
【０００６】
このため、インターネットへの接続機能を備えたテレビ受像機を使用者が設置したい位置に設置するためには、延長ケーブルを使用したり、あるいは、電話線との接続端子やアンテナケーブルとの接続端子の設置位置を変更したり、あるいは、電話線との接続端子やアンテナケーブルとの接続端子を増設するなどの工事を行うことが必要になる。
【０００７】
しかし、延長ケーブルを用いた場合には屋内に配線された延長ケーブルがじゃまになってしまう。また、電話線との接続端子やアンテナケーブルとの接続端子の増設や設置位置の変更のために工事を行ったのでは、テレビ受像機を使用者が設置したい場所に設置するために、時間や費用がかかってしまう。
【０００８】
このため、屋内に引き込まれたアンテナケーブルには接続せずに、室内用の小型アンテナを用いることも考えられる。しかし、室内用の小型アンテナの場合、屋根の上などの屋外に設置される比較的に大型のアンテナに比べ、近隣の建物や使用者やその周囲の人の影響（電波の遮蔽物としての人体が及ぼす影響）を受けやすい。
【０００９】
このため、室内用の小型アンテナを用いても、テレビ放送波が受信できなかったり、あるいは、電波の干渉によって、表示画像が乱れたり、表示画像にノイズが多くなってしまうなど、確実に良好な画像を得ることができない。
【００１０】
以上のことにかんがみ、この発明は、アンテナケーブルとの接続や通信回線との接続に左右されることなく、家庭において何処ででもテレビ放送番組の視聴を可能にするとともに、インターネットなどのネットワークへの接続をも可能にするテレビ受信システム、選局装置および表示装置を提供することを目的とする。
【課題を解決するための手段】
【００１１】
本発明の表示装置の一側面は、使用者から、前記指示信号および前記ネットワークを介して送信する前記電子メールの入力を受け付ける入力受付手段と、前記表示装置ごとに固有に定められた情報を含む、前記入力受付手段により入力された前記指示信号および前記ネットワークを介して送信する前記電子メールを前記選局装置に送信するとともに、前記選局装置から前記送信信号および前記ネットワークを介して前記選局装置が受信した前記電子メールを受信する通信手段と、前記通信手段により受信された前記送信信号の画像信号に応じた画像および前記ネットワークを介して前記選局装置が受信した前記電子メールを表示素子に表示する表示手段と、前記表示手段の外側に配置され、テレビモードに切り換えるとき操作されるテレビモード切り換えキーと、前記表示手段の外側に配置され、電子メールモードに切り換えるとき操作される電子メールモード切り換えキーと、前記表示手段の外側に配置され、インターネットモードに切り換えるとき操作されるインターネットモード切り換えキーと備える。
【００１２】
本発明の表示装置の一側面においては、使用者から、指示信号およびネットワークを介して送信する電子メールの入力が受け付けられ、表示装置ごとに固有に定められた情報を含む、入力受付手段により入力された指示信号およびネットワークを介して送信する電子メールが選局装置に送信されるとともに、選局装置から送信信号およびネットワークを介して選局装置が受信した電子メールが受信され、受信された送信信号の画像信号に応じた画像およびネットワークを介して選局装置が受信した電子メールが表示素子に表示され、表示装置の外側に配置され、テレビモードに切り換えるとき操作されるテレビモード切り換えキーと、表示装置の外側に配置され、電子メールモードに切り換えるとき操作される電子メールモード切り換えキーと、表示装置の外側に配置され、インターネットモードに切り換えるとき操作されるインターネットモード切り換えキーとを備えることができる。
【発明の効果】
【００１３】
以上説明したように、この発明によれば、屋内に余分なアンテナケーブルや電話線の配線を行わなくても済むようにすることができる。また、家屋内、あるいは、庭などの選局装置との無線通信が可能な範囲内において、何処ででも、良好な画質でテレビ番組やブラウザ、電子メールを楽しむことができる。
【００１４】
従来のように、設置されたテレビの前にいてテレビを見るという形態から、好きな場所に表示装置を持って行きテレビを見るという形態を実現することができる。
【図面の簡単な説明】
【００１５】
【図１】この発明によるテレビ受信システムの一実施の形態を説明するための図である。
【図２】この発明による選局装置の一実施の形態を説明するためのブロック図である。
【図３】この発明による表示装置の一実施の形態を説明するためのブロック図である。
【図４】この発明による表示装置の一実施の形態の外観を説明するための図である。
【図５】この発明による表示装置の一実施の形態において用いられる電子メールについての処理の初期画面を説明するための図である。
【図６】この発明による表示装置の一実施の形態において用いられる電子メールの作成画面を説明するための図である。
【図７】この発明による表示装置の一実施の形態において用いられる作成済み電子メールの送信を行う画面を説明するための図である。
【図８】この発明による表示装置の一実施の形態において用いられる電子メールをダウンロードする場合に用いる画面を説明するための図である。
【図９】この発明による表示装置の一実施の形態において用いられるダウンロード下電子メールの表示画面を説明するための図である。
【図１０】この発明による表示装置の一実施の形態において行なわれる電子メールについての処理を説明するためのフローチャートである。
【図１１】この発明による表示装置の一実施の形態において行なわれる電子メールの作成処理を説明するためのフローチャートである。
【図１２】この発明による表示装置の一実施の形態において行なわれる作成済み電子メールの送信処理を説明するためのフローチャートである。
【図１３】この発明による表示装置の一実施の形態において行なわれる電子メールの受信処理（ダウンロード処理）を説明するためのフローチャートである。
【図１４】この発明の選局装置の一実施の形態において、表示装置からの指示情報に応じて行われる処理を説明するための図である。
【図１５】この発明によるテレビ受信システムの他の実施の形態を説明するための図である。
【図１６】この発明による選局装置の他の実施の形態を説明するためのブロック図である。
【図１７】この発明による選局装置の他の実施の形態を説明するためのブロック図である。
【図１８】図１７に示した選局装置において形成され、無線送信される多重化送信信号を説明するための図である。
【図１９】図１７に示した選局装置から無線送信される多重化送信信号を受信するこの発明による表示装置の他の例を説明するためのブロック図である。
【発明を実施するための最良の形態】
【００１６】
以下、図を参照しながらこの発明によるテレビ受信システム、選局装置および表示装置の一実施の形態について説明する。
【００１７】
［第１の実施の形態］
図１は、第１の実施の形態の概要を説明するための図である。この第１の実施の形態のテレビ受信システムは、図１に示すように、無線通信により接続される選局装置１と、表示装置２とにより構成される。選局装置１は、この発明による選局装置が適用されたものであり、例えば家庭の屋内に設置されて用いられるものである。また、表示装置２は、この発明による表示装置が適用されたものであり、使用者の近傍において用いられるものである。
【００１８】
そして、図１に示すように、選局装置１には、屋外に設置されたテレビ放送信号受信用の受信アンテナ１１に接続されて屋外から屋内に引き込まれたアンテナケーブル１１ｃｂが接続されるとともに、電話網に接続されて屋外から屋内に引き込まれた電話線Ｌが接続される。
【００１９】
そして、選局装置１は、アンテナ１１により受信して選局したテレビ放送信号を復調して、これを送受信アンテナ１８を通じて表示装置２に向けて無線送信したり、あるいは、電話線Ｌを通じて送信されてくる信号を受信して復調し、これを送受信アンテナ１８を通じて、表示装置２に向けて無線送信する。
【００２０】
また、選局装置１は、表示装置２から指示情報や電子メールなどの送信情報を送受信アンテナ１８を通じて受信し、受信した指示情報に応じて選局するテレビ放送信号を変えたり、送信情報を電話線Ｌを通じて送信したりすることができるものである。
【００２１】
表示装置２は、選局装置１から無線送信されてくるテレビ放送番組の信号を受信し、受信した信号に含まれる画像信号に応じた画像をＬＣＤ（Ｌｉｑｕｉｄ  Ｃｒｙｓｔａｌ  Ｄｉｓｐｌａｙ）２５の表示画面に表示するとともに、受信した信号に含まれる音声信号による音声をスピーカから放音することにより、テレビ放送番組の視聴を可能にする。
【００２２】
また、表示装置２は、選局装置１が電話線Ｌを通じて受信して無線送信してくる例えば電子メールやインターネットのホームページなどの信号を受信し、受信した信号から表示用信号を形成し、この表示用信号に応じた画像をＬＣＤ２５に表示して使用者に提供することができるものである。
【００２３】
さらに、この実施の形態の表示装置２のＬＣＤ２５の表示画面には、タッチパネル２５１が貼付されており、ＬＣＤ２５の表示画面に表示される表示情報とタッチパネル２５１とにより、使用者からの各種の指示入力などの情報の入力を受け付けることができるようにしている。そして、タッチパネル２５１を用いることによって、電子メールを作成して送信したり、自分宛ての電子メールを受信して表示したりするなど各種の操作を行うことができるようにしている。
【００２４】
このように、選局装置１は、テレビ放送信号や、電話線Ｌを通じて提供される各種の情報を、この実施の形態のテレビ受信システムに取り込んだり、この実施の形態のテレビ受信システムから電話線Ｌを通じて通信ネットワークに情報を送出したりするインターフェースとしての機能を有している。また、表示装置２は、選局装置１によりこの実施の形態のテレビ受信システムに取り込まれた情報を使用者に提供したり、使用者からの情報を受け付けるユーザインターフェースとしての機能を有している。
【００２５】
そして、選局装置１は、図１に示すように、アンテナケーブル１１ｃｂとの接続端子Ｔ１や電話線Ｌとの接続端子Ｔ２が設けられた位置に応じて、その両方に確実に接続することが可能な位置に設置して用いる。そして、図１に示したように、選局装置１と表示装置２とは、無線接続されるので、選局装置１からの無線信号の受信が可能なエリアであれば何処ででも、表示装置２を用いることによって目的とするテレビ放送番組を視聴したり、インターネットに接続して電子メールのやり取りを行うなどのことができるようにしている。
【００２６】
［選局装置１について］
次に、図１に示した選局装置１について詳細に説明する。図２は、この実施の形態の選局装置１を説明するためのブロック図である。この実施の形態の選局装置１の各部は、制御部１００によって制御するようにされている。
【００２７】
制御部１００は、図２に示すように、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１０４がＣＰＵバス１０６を通じて接続されて構成されたマイクロコンピュータである。
【００２８】
ここで、ＲＯＭ１０２は、この実施の形態の選局装置１において実行する各種の処理プログラムや処理に必要なデータなどが記録されたものである。ＲＡＭ１０３は、各種の処理において得られたデータを一時的に記憶保持するなどのように、主に各種の処理の作業領域として用いられるものである。
【００２９】
ＥＥＰＲＯＭ１０４は、いわゆる不揮発性のメモリであり、電源が落とされても、記憶保持した情報が失われることがなく、例えば、選局装置１の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００３０】
そして、図２に示すように、この実施の形態の選局装置１は、屋外に設置されたテレビ放送信号受信用の受信アンテナ１１からのアンテナケーブル１１ｃｂは、選局装置１の選局部１２に接続され、受信アンテナ１１により受信されたテレビ放送信号は、選局部１２に供給される。
【００３１】
選局部１２は、受信アンテナ１１からのテレビ放送信号の中から、制御部１００からの選局指示信号に応じたテレビ放送信号を選局し、この選局したテレビ放送信号を復調部１３に供給する。復調部１３は、これに供給されたテレビ放送信号を復調して、復調後の信号（テレビ番組の信号）をスイッチ回路１４の入力端ａに供給する。
【００３２】
スイッチ回路１４は、制御部１００からの切り換え制御信号により切り換え制御され、復調部１３から入力端ａに供給されるのテレビ番組の信号を出力するのか、制御部１００から入力端ｂに供給される信号を出力するのかを切り換える。なお、制御部１００からスイッチ回路１４に供給される信号は、後述もするように、電話線Ｌ通じて選局装置１に供給され、モデム部１１０を通じて受信した電子メールやインターネットのいわゆるホームページの情報などの信号である。
【００３３】
そして、スイッチ回路１４から出力された信号は、圧縮処理部１５に供給される。圧縮処理部１５は、これに供給された信号を所定の圧縮方式を用いてデータ圧縮する。この圧縮処理部１５においては、例えば、ＭＰＥＧ（Ｍｏｔｉｏｎ  Ｐｉｃｔｕｒｅ  Ｅｘｐｅｒｔ  Ｇｒｏｕｐ）方式やＷａｖｅｌｅｔ方式などのデータ圧縮方式を用いて、スイッチ回路１４からの信号をデータ圧縮する。
【００３４】
圧縮処理部１５においてデータ圧縮された信号は、送信信号形成部１６に供給される。送信信号形成部１６は、予め決められた通信プロトコルに準拠した送信信号を形成する。この実施の形態においては、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．１１方式のプロトコル、あるいは、その発展プロトコルに準拠した送信信号を形成する。
【００３５】
送信信号形成部１６において形成された送信信号は、無線部１７の送信処理部１７Ｓに供給される。送信処理部１７Ｓは、制御部１００からの制御信号に応じて、送信信号の変調処理や増幅処理を行う。送信処理部１７Ｓにおいて処理された送信信号は、共用器１７Ｋ、送受信アンテナ１８を通じて無線送信される。
【００３６】
共用器１７Ｋは、送信信号と受信信号とが干渉し合うことを防止するものである。すなわち、この実施の形態の選局装置１は、前述したように、表示装置２から無線送信される指示情報などを送受信アンテナ１８を通じて受信することができるように構成されたものである。そこで、共用器１７Ｋは、送信処理部１７Ｓからの送信信号が、送受信アンテナ１８を通じて受信される受信信号に対して干渉することがないようにしている。
【００３７】
そして、送受信アンテナ１８を通じて受信した表示装置２からの例えば選局指示などの信号は、共用器１８を通じて受信処理部１７Ｒに供給される。受信処理部１７Ｒは、これに供給された信号を復調するなどの処理を行って、制御部１００が扱える信号にし、この信号を制御部１００に供給する。
【００３８】
制御部１００は、受信処理部１１７Ｒからの信号が、選局指示などの指示信号であるときには、その指示信号に応じて各部を制御する。したがって、受信処理部１７Ｒから制御部１００に供給された信号が、選局指示であった場合には、制御部１００は、供給された選局指示に応じた選局指示信号を選局部１２に供給し、選局するテレビ放送信号を換えることができるようにされている。
【００３９】
また、受信処理部１７Ｒから制御部１００に供給された信号が、電子メールなどの送信情報であった場合には、制御部１００は、後述もするように、モデム部１１０および電話線Ｌを通じて、電話回線を接続し、送信情報を接続した電話回線に送出して、目的とする相手先に送信する。
【００４０】
モデム部１１０は、図２に示すように、インターフェース（図２においては、Ｉ／Ｆと記載。）部１１１と、通信部１１２とからなっている。Ｉ／Ｆ部１１１は、相手先と選局装置１との間に電話網を通じて接続される通信回線と、この選局装置１との間のインターフェースであり、電話回線（電話線Ｌ）を通じて送信されてくる信号を受信したり、選局装置１からの信号を送信したりする。
【００４１】
通信部１１２は、Ｉ／Ｆ回路１１１を通じて受信した信号を復調して、これを制御部１００に供給したり、制御部１００からの送信信号を変調して、これをＩ／Ｆ回路１１１に供給する。これにより、電話回線が接続された相手先との間で、各種のデータの送受を行うことができるようにされる。
【００４２】
したがって、前述したように、この実施の形態の選局装置１は、モデム部１１０、電話線Ｌ、および、所定のＩＳＰ（Ｉｎｔｅｒｎｅｔ  Ｓｅｒｖｉｃｅ  Ｐｒｏｖｉｄｅｒ）を通じてインターネットに接続し、インターネットを通じて各種の情報の提供を受けたり、電子メールを受信したり送信したりすることができるようにされる。
【００４３】
このため、制御部１００は、モデム部１１０を制御して、オフフックしたりオンフックするなどのことができるとともに、オフフックするようにモデム部１１０を制御したときには、ダイヤル信号を電話回線に送出するようにするいわゆるダイヤラとしての機能なども備えたものである。
【００４４】
なお、図２に示すように、制御部１００には、電源のオン／オフキーや各種の設定キーが設けられたキー入力部１１５が接続されており、選局装置１の主電源のオン／オフや、各種の設定入力が、このキー入力部１１５を通じて行うことができるようにされている。
【００４５】
このように、この実施の形態の選局装置１は、テレビ放送信号を受信、選局して復調し、この復調したテレビ放送番組の信号をデータ圧縮して、所定の通信プロトコルにしたがって無線送信することができるものである。また、電話回線を通じて提供される情報を受信して復調し、これをテレビ放送信号の場合と同様に、データ圧縮して、所定の通信プロトコルにしたがって無線送信することができるものである。
【００４６】
また、この実施の形態の選局装置１は、後述する表示装置２から無線送信されてくる選局指示などの指示情報を受信し、その情報に応じた処理を行ったり、表示装置２から送信されてくる電子メールなどの送信情報を、モデム部１１０を通じて送信することができるものである。
【００４７】
［表示装置２について］
次に、前述した選局装置１と無線接続される表示装置２について説明する。図３は、この実施の形態の表示装置２を説明するための図である。この実施の形態の表示装置２は、ＣＰＵ２０１、ＲＯＭ２０２、ＲＡＭ２０３、ＥＥＰＲＯＭ２０４がＣＰＵバス２０５を通じて接続されて形成されたマイクロコンピュータの制御部２００によって制御するようにされている。
【００４８】
ＲＯＭ２０２には、この実施の形態の表示装置２において実行する各種の処理プログラムや処理に必要なデータなどが記録されたものである。ＲＡＭ２０３は、各種の処理において得られたデータを一時的に記憶保持するなどのように、主に各種の処理の作業領域として用いられるものである。
【００４９】
ＥＥＰＲＯＭ２０４は、いわゆる不揮発性のメモリであり、電源が落とされても、記憶保持した情報が失われることがなく、例えば、各種の設定パラメータや、作成した電子メールや受信した電子メールなどを記憶保持することができるものである。
【００５０】
まず、選局装置１からの無線信号を受信する場合の表示装置２の動作について説明する。選局装置１から所定の通信プロトコルに準拠した無線信号は、送受信アンテナ２１により受信され、共用器２２Ｋを通じて受信処理部２２Ｒに供給される。受信処理部２２Ｒは、これに供給された信号を復調するなどの処理を行って、復調後の信号を伸長処理部２３に供給する。
【００５１】
前述したように、選局装置１は、無線送信する信号は、データ圧縮して送信してくるので、表示装置２の伸長処理部２３は、選局装置１から復調された信号を伸長して元の信号を復元する。そして、復元した信号がテレビ放送番組の信号である場合などにおいては、復元された信号は、画像信号と音声信号とからなっているので、画像信号は、画像信号処理部２４に供給され、音声信号は音声信号処理部２６に供給される。
【００５２】
画像信号処理部２４は、伸長処理部２３からの画像信号から表示用信号を形成し、これをＬＣＤ２５に供給する。これにより、ＬＣＤ２５には、選局装置１から無線送信されてきた画像信号に応じた画像が表示される。一方、音声信号処理部２６は、これに供給された音声信号からスピーカ２７に供給する音声信号を形成し、これをスピーカ２７に供給する。これにより、スピーカ２７からは、選局装置１から無線送信されてきた音声信号に応じた音声が放音される。
【００５３】
このように、表示装置２は、選局装置１から無線送信されてくるテレビ放送番組などの信号を受信して、その受信した信号の画像信号や音声信号を再生して出力することにより、使用者に提供することができるものである。
【００５４】
次に、選局装置１に無線信号を送信する場合の表示装置２の動作について説明する。図４は、この表示装置２のＬＣＤ２５に対向する側より表示装置２を見たときの表示装置２の外観を説明するための図である。図４に示すように、表示装置２の表示画面の下側には、各種の操作キーを有するキー入力部２９が設けられている。
【００５５】
この実施の形態の表示装置２のＬＣＤ２５の下側に設けられるキー入力部２９は、電源のオン／オフキー２９１、チャンネル選択のためのアップキー２９２Ｕ、ダウンキー２９２Ｄ、音量調整のためのアップキー２９３Ｕ、ダウンキー２９３Ｄを有している。
【００５６】
また、この実施の形態の表示装置２のキー入力部２９は、モード切り換えキーとして、テレビモードへの切り換えキー（ＴＶキー）２９４、電子メールモードへの切り換えキー（Ｅ−ｍａｉｌキー）２９５、インターネットモードへの切り換えキー（インターネットキー）２９６を有している。
【００５７】
また、図４に示すように、表示装置２のＬＣＤ２５の表示画面には、使用者の指やタッチペンなどによって接触可能なように、タッチパネル２５１が貼付されており、ＬＣＤ２５の表示画面に表示される表示情報とタッチパネル２５１とにより、使用者からの指示入力などの各種の情報の入力を受け付けることができるようにしている。
【００５８】
そして、図３に示すように、これらキー入力部２９、タッチパネル２５１は、表示装置２の制御部２００に接続されている。そして、制御部２００は、キー入力部２９、タッチパネル２５１を通じて、選局装置１に対する指示情報の入力を受けたときには、その指示情報を送信信号形成部２８に供給する。
【００５９】
送信信号形成部２８は、制御部２００からの指示情報から選局装置１に送信する送信信号を形成し、これを送信処理部２２Ｓに供給する。送信処理部２２Ｓは、これに供給された送信信号を変調したり増幅するなどの処理を行って、実際に送信する形式の送信信号を形成し、これを共用器２２Ｋ、送受信アンテナ２１を通じて選局装置１に対して無線送信する。
【００６０】
これにより、前述したように、選局装置１においては、表示装置２から無線送信されてくる情報に応じた処理を行うことができるようにされる。例えば、図４に示した表示装置２のチャンネルのアップキー２９２Ｕ、ダウンキー２９２Ｄを使用者が操作すると、表示装置２の制御部２００は、送信信号形成部２８を制御して選局指示信号（送信信号）を形成し、これを送信処理部２２Ｓ、共用器２２Ｋ、送受信アンテナ２１を通じて無線送信する。
【００６１】
選局装置１においては、前述もしたように、表示装置２からの無線信号の選局指示信号は、送受信アンテナ１８により受信され、共用器１７Ｋを通じて受信処理部１７Ｒに供給される。そして、受信処理部１７Ｒで復調された選局指示信号が、制御部１００に供給される。
【００６２】
選局装置１の制御部１００は、受信処理部１７Ｒからの選局指示信号に応じて、選局部１２を制御し、表示装置２の使用者からの指示に応じて、選局するテレビ放送信号を変更する。このように、使用者は、表示装置２を通じて選局装置１を遠隔操作し、選局装置１を通じて目的とする情報の提供を受けたり、後述もするように、電子メールを送信するなどのことができる。
【００６３】
なお、図３において、無線部２２の共用器２２Ｋは、前述した選局装置１の共用器１７Ｋと同様に、送信信号と受信信号とが干渉し合うことを防止するためのものである。
【００６４】
［電子メールの作成、送信、受信について］
そして、この実施の形態のテレビ受信システムにおいては、上述したように、表示装置２を通じて無線通信により、選局装置１の選局を変更することができるだけでなく、選局装置１を通じて、例えば、インターネットに接続し、各種の情報の提供を受けたり、電子メールの送受信を行うことができるようにしている。
【００６５】
この場合、前述もしたように、表示装置２のＬＣＤ２５の表示画面の表示情報とＬＣＤ２５に貼付されたタッチパネル２５１とにより入力手段が構成され、この入力手段を通じて、使用者は、簡単に電子メールを作成して送信したり、自分宛の電子メールをサーバからダウンロードして表示するなどのことができるようにしている。
【００６６】
以下、この実施の形態のテレビ受信システムにおいて行なわれる電子メールの作成、電子メールの送信、電子メールの受信について説明する。図４を用いて前述したように、表示装置２は、ＬＣＤ２５の下側に、ＴＶキー２９４、Ｅ−ｍａｉｌキー２９５、インターネットキー２９６を備えている。
【００６７】
この実施の形態の表示装置２の場合、電源スイッチ２９２が操作され、主電源が投入されると、最初はテレビモードとなるようにされている。そして、Ｅ−Ｍａｉｌキー２９５が押下されると、表示装置２の制御部２００は、ＲＯＭから電子メールについての処理プログラムを読み出して実行し、電子メールについての処理を行えるようにする。つまり、電子メールモードとなるようにする。
【００６８】
この実施の形態において、電子メールについての処理プログラムが実行されると、制御部２００は、ＲＯＭ２０２に記憶されている情報を用いて、電子メールについての処理の初期画面を表示する。図５は、表示装置２のＬＣＤ２５に表示される電子メールについての処理の初期画面を説明するための図である。
【００６９】
図５に示すように、この初期画面においては、メール作成処理の実行を指示するためのメール作成アイコン５１１、作成済み電子メールの送信処理の実行を指示するためのメール送信アイコン５１２、使用者宛の電子メールの受信処理の実行を指示するためのメール受信アイコン５１３、電子メールについての処理を終了させる終了アイコン５１４が表示されたものである。
【００７０】
そして、表示装置２の使用者は、目的とする処理のアイコンの表示位置に対応するタッチパネル上を指やタッチペンなどで触れることにより目的とする処理を選択すると、表示装置２の制御部２００は、使用者が接触したタッチパネル２５１上の位置と、各アイコンの表示位置とから、使用者により選択された処理を判別し、その選択された処理を実行する。
【００７１】
図５の電子メールについての処理の初期画面において、メール作成アイコン５１１が使用者により選択されると、表示装置２の制御部２００は、電子メールの作成処理を実行する。この場合、制御部２００は、ＲＯＭ２０２に格納されているフォント情報などを用いて、電子メールの作成画面をＬＣＤ２５に表示する。
【００７２】
図６は、この実施の形態の表示装置２において用いられる電子メールの作成画面を説明するための図である。図６に示すように、この実施の形態の表示装置２において用いられる電子メールの作成画面は、送信先のメールアドレス入力欄５２１、電子メール本文の入力欄５２２、接触した位置に応じた文字を入力するためのいわゆるソフトウエアキーボード５２３、作成した電子メールの送信を指示する送信アイコン５２４、作成した電子メールの保存を指示する保存アイコン５２５、電子メールの作成処理を終了させる終了アイコン５２６が表示される。
【００７３】
そして、この実施の形態の表示装置２においては、入力したい情報の入力欄に指などを接触させることにより、その入力欄への情報の入力が可能となり、ソフトウエアキーボード５２３を通じて、メールアドレス、メール本文を入力して、目的とする相手先に送信する電子メールを作成する。
【００７４】
なお、この実施の形態において、ＬＣＤ２５に表示されるソフトウエアキーボード５２３は、ひらがな入力用、カタカナ入力用、ローマ字入力用などのモードを備え、使用者の好みに合った入力方法を用いることができるようにしている。
【００７５】
そして、電子メールの作成が終了した場合には、図６において、右上端部に表示されている送信アイコン５２４を選択すると、表示装置２の制御部２００は、ＥＥＰＲＯＭ２０４に予め記憶するようにしているＩＳＰの電話番号、自己の暗証番号（認証番号）を含む電子メールの送信要求を形成し、これを選局装置１に向けて無線送信する。
【００７６】
この場合、選局装置１は、表示装置２からの電子メールの送信要求を受信すると、これに含まれるＩＳＰの電話番号や使用者の暗証番号を用いてＩＳＰとの間に電話回線を接続する。電話回線の接続の成功／非成功は、選局装置１から表示装置２に送信されるので、表示装置２は、電話回線が接続できたか、接続できなかったかを知ることができる。
【００７７】
そして、表示装置２は、電話回線が接続されたことが選局装置１から通知されたときには、電子メールの送信先のメールアドレスと、電子メール本文とを選局装置１に無線送信する。選局装置１は、電話回線を接続したＩＳＰを通じて、表示装置２からの電子メールを目的とする相手先のメールボックスに送信する。これにより、電子メールを作成して即座に、その作成した電子メールをインターネットを通じて目的とする相手先のメールボックスに送信することができる。
【００７８】
そして、送信終了後においては、この実施の形態においては、図６に示した電子メールの作成画面に戻り、新たな電子メールの作成を行うことができるようにされる。
【００７９】
また、この実施の形態の表示装置２においては、図６に示した電子メールの作成画面において、右上端部に表示されている保存アイコン５２５を選択すると、表示装置２の制御部２００は、電子メールの作成欄５２２に作成した電子メールを、不揮発性メモリであるＥＥＰＲＯＭ２０４に保存し、つぎの電子メールの作成を行ったり、電子メールの作成を終了させたりすることができる。
【００８０】
また、この実施の形態の表示装置２においては、図６に示した電子メールの作成画面において、右上端部に表示されている終了アイコン５２６を選択すると、電子メールの送信も保存も行うことなく、電子メールの作成処理を終了させて、この実施の形態においては、図５に示した電子メールについての処理の初期画面に戻るようにされる。
【００８１】
このように、図５に示した初期画面において、メール作成アイコン５１１を選択することにより、電子メールの作成、作成した電子メールの送信、作成したメールの保存を行うことができる。
【００８２】
また、図５に示した電子メールについての処理の初期画面において、メール送信アイコン５１２が使用者により選択されると、表示装置２の制御部２００は、既にＥＥＰＲＯＭ２０４に保存されている作成済みの電子メールの一覧リストである作成済み電子メールリストを作成してＬＣＤ２５に表示し、その中から目的とする作成済み電子メールを選択して送信することができるようにしている。
【００８３】
図７は、この実施の形態の表示装置２において用いられる作成済み電子メールリストを説明するための図である。前述したように、電子メールについての処理の初期画面において、メール送信アイコン５１２が使用者により選択されると、この実施の形態の表示装置２の制御部２００は、ＥＥＰＲＯＭ２０４に格納されている作成済み電子メールに基づいて、図７に示した作成済み電子メールリストを作成し、これをＬＣＤ２５に表示する。
【００８４】
図７に示すように、この実施の形態の表示装置２において用いられる作成済み電子メールリストは、メールアドレスや名前などの相手先（送信先）表示欄５３１と、作成された電子メールの例えば先頭の２，３行の電子メール本文の表示欄である内容欄５３２とを有するものである。
【００８５】
そして、この実施の形態の作成済み電子メールリストにおいては、図７に示すように、上方向スクロールアイコン５３４と、下方向スクロールアイコン５３５とが設けられている。この上方向スクロールアイコン５３４、下方向スクロールアイコン５３５の表示位置に対応するタッチパネル２５１上に使用者が指やタッチペンを接触されると、表示装置２の制御部２００は、タッチパネル上の接触位置を検知して、作成済み電子メールリストを上方向あるいは下方向にスクロールさせる。これにより、ＥＥＰＲＯＭ２０４に保存されているすべての作成済み電子メールを一覧表示することができる。
【００８６】
そして、送信する目的とする作成済み電子メールが見つかった場合には、使用者は、その目的とする作成済み電子メールの表示位置に対応するタッチパネル２５１上に指やタッチペンを接触させる。表示装置２の制御部２００は、タッチパネル２５１上の接触位置を検知し、選択された作成済み電子メールの表示欄の先頭にカーソル５３３を移動させる。
【００８７】
そして、カーソル５３３を位置付けた作成済み電子メールを送信する場合には、作成済み電子メールリストの右上端部に表示される送信アイコン５３６の表示位置に対応するタッチパネル２５１上を指やタッチペンを接触させると、表示装置２の制御部２００は、図６の電子メールの作成画面において作成した電子メールを送信する場合と同様に、電子メールの送信要求を形成し、これを選局装置１に向けて無線送信する。
【００８８】
選局装置１は、電子メールの送信要求を受信すると、これに含まれるＩＳＰの電話番号や暗証番号を用いて、目的とするＩＳＰとの間に電話回線を接続する。そして、選局装置１は、接続結果を表示装置２に無線送信する。
【００８９】
そして、目的とするＩＳＰとの間に電話回線が接続されたことが選局装置１から通知されたときには、選択した作成済み電子メールの送信先のメールアドレスと、電子メール本文とを選局装置１に無線送信する。選局装置１は、表示装置２からの情報をＩＳＰを通じて目的とする相手先のメールボックスに送信する。これにより、ＥＥＰＲＯＭ２０４に保持していた作成済み電子メールの中から目的とする作成済み電子メールをインターネットを通じて目的とする相手先のメールボックスに送信することができる。
【００９０】
また、この実施の形態の表示装置２においては、図７に示した作成済み電子メールリストにおいて、右上端部に表示されている終了アイコン５３６が選択されたときには、表示装置２の制御部２００は、電子メールの送信処理を終了させて、この実施の形態においては、図５に示した電子メールについての処理の初期画面に戻るようにされる。
【００９１】
なお、目的とするＩＳＰとの間に電話回線が接続できなかったことが選局装置１から通知されたときには、この実施の形態の表示装置２においては、作成済み電子メールリストの表示に戻り、再度の選択や送信指示の入力を受け付けることができるようにされる。
【００９２】
このように、図５に示した初期画面において、メール送信アイコン５１２を選択することにより、ＥＥＰＲＯＭ２０４に保持されている作成済み電子メールの中から目的とする電子メールを選択し、送信することができようにされている。また、この実施の形態においては、図５に示した電子メール処理の初期画面において、メール受信アイコン５１３が使用者により選択されると、表示装置２の制御部２００は、使用者が加入しているＩＳＰのサーバ装置のメールボックに届いている電子メールを読むか否かの確認入力画面を表示する。
【００９３】
図８は、この実施の形態の表示装置２において用いられる使用者が自分宛ての電子メールを読むか否かの確認入力画面を説明するための図である。前述したように、電子メール処理の初期画面において、メール受信アイコン５１３が使用者により選択されると、この実施の形態の表示装置２の制御部２００は、図８に示した確認入力画面を作成し、これをＬＣＤ２５に表示する。
【００９４】
図８に示すように、この実施の形態の表示装置２において用いられる電子メールを読むか否かの確認入力画面は、使用者が自分宛ての電子メールをＩＳＰのメールサーバからダウンロードして読むことを指示するための読むアイコン５４１と、使用者が自分宛ての電子メールをダウンロードして読むようにする処理を終了させる終了アイコン５４２とを有するものである。
【００９５】
そして、図８に示した確認入力画面において、終了アイコン５４２の表示位置に対応するタッチパネル２５１上に使用者が指やタッチペンを接触させると、表示装置２の制御部２００は、電子メールの受信処理を終了させ、この実施の形態においては、図５に示した電子メールについての処理の初期画面に戻るようにされる。
【００９６】
また、図８に示した確認入力画面において、読むアイコン５４１の表示位置に対応するタッチパネル２５１上に使用者が指やタッチペンを接触させると、以下に説明するように、電子メールの受信処理を実行する。すなわち、図８に示した確認入力画面において、読むアイコン５４１が選択されると、表示装置２の制御部２００は、ＥＥＰＲＯＭ２０４に予め記憶するようにしているＩＳＰの電話番号、自己の暗証番号（認証番号）を含む電子メールの提供要求を形成し、これを選局装置１に向けて無線送信する。
【００９７】
選局装置１は、電子メールの提供要求を受信すると、これに含まれるＩＳＰの電話番号や暗証番号を用いて、目的とするＩＳＰとの間に電話回線を接続するようにして、電子メールの提供要求を送信した当該使用者宛ての電子メールを提供することを要求する。そして、選局装置１は、接続結果や、接続できた場合には、ＩＳＰから提供された当該使用者宛ての電子メールを表示装置２に無線送信する。
【００９８】
そして、当該使用者宛ての電子メールが選局装置１から表示装置２に無線送信されてきたときには、表示装置２は、これを受信し、受信した情報に基づいて、図９に示すように、受信電子メールの表示画面を形成して、これをＬＣＤ２５に表示する。
【００９９】
図９は、この実施の形態の表示装置２において用いられる受信電子メールの表示画面を説明するための図である。図９に示すように、この実施の形態の受信電子メールの表示画面は、発信元のメールアドレスや名前の発信元表示欄５５１と、電子メール本文の表示欄５５２とからなっている。
【０１００】
また、電子メール本文の表示欄には、図９に示すように、上方向スクロールアイコン５５３と、下方向スクロールアイコン５５４とが設けられている。この上方向スクロールアイコン５５３、下方向スクロールアイコン５５４の表示位置に対応するタッチパネル２５１上に使用者が指やタッチペンを接触されると、表示装置２の制御部２００は、タッチパネル上の接触位置を検知して、電子メール本文の表示欄５５２に表示される電子メール本文をスクロールさせ、電子メール本文の全部を表示させることができるようにされている。
【０１０１】
なお、この実施の形態においては、当該使用者宛てに複数の電子メールが届いている場合には、それらをすべて取り込んで、順次に表示させることができるようにされる。そして、使用者は、自分宛ての電子メールを読み終えたときには、図８に示した受信電子メールの表示画面の右上端部５５５に表示されている終了アイコン５５５の表示位置に対応するタッチパネル２５１上の位置に指やタッチ面を接触させることにより、自分宛ての電子メールの表示を終了させ、この実施の形態においては、図５に示した電子メールについての処理の初期画面に戻るようにされる。
【０１０２】
このように、図５に示した初期画面において、メール受信アイコン５１３を選択することにより、使用者は、自分宛ての電子メールを、自分が加入しているＩＳＰのメールボックスから選局装置１を通じて表示装置２にダウンロードし、そのダウンロードした電子メールを表示装置２のＬＣＤ２５に表示して見ることができる。
【０１０３】
［電子メールについての表示装置２における処理］
次に、前述した電子メールの作成、送信、受信の各処理について、図１０乃至図１３のフローチャートを参照しながら説明する。まず、表示装置２において行なわれる電子メールについての処理の全体について説明する。図１０は、表示装置２において実行される電子メールについての処理を説明するためのフローチャートである。
【０１０４】
この図１０に示すフローチャートの処理は、前述もしたように、表示装置２の主電源が投入され、Ｅ−ｍａｉｌキー２９５が押下された場合に実行される。Ｅ−ｍａｉｌキー２９５が押下されると、表示装置２の制御部２００は、図５に示した電子メールについての処理の初期画面を表示し（ステップＳ１０１）、作成、送信、受信、終了の各アイコンの選択入力を受け付ける（ステップＳ１０２）。
【０１０５】
次に、制御部２００は、選択されたのは、メール作成アイコン５１１か否かを判断し（ステップＳ１０３）、メール作成アイコン５１１が選択されたと判断したときには、電子メールの作成処理を行うための電子メールの作成ルーチンを実行する（ステップＳ１０４）。
【０１０６】
ステップＳ１０４の電子メールの作成ルーチンが終了した後においては、制御部２００は、ステップＳ１０１からの処理を繰り返し、電子メールについての処理の初期画面を表示して、再度、電子メールの作成、送信、受信、終了の選択を行えるようにする。
【０１０７】
ステップＳ１０３の判断処理において、選択されたのは、メール作成アイコン５１１ではないと判断したときには、制御部２００は、選択されたのは、メール送信アイコン５１２か否かを判断する（ステップＳ１０５）。ステップＳ１０５に判断処理において、選択されたのはメール送信アイコン５１２であると判断したときには、制御部２００は、送信済み電子メールのなかから目的とする電子メールを送信するための電子メールの送信ルーチンを実行する（ステップＳ１０６）。
【０１０８】
この電子メールの送信ルーチン終了後においてもまた、制御部２００は、前述の電子メールの作成ルーチン終了後と同様に、ステップＳ１０１からの処理を繰り返し、再度、電子メールの作成、送信、受信、終了の選択ができるようにする。
【０１０９】
ステップＳ１０５の判断処理において、選択されたのは、メール送信アイコン５１２ではないと判断したときには、制御部２００は、選択されたのは、メール受信アイコン５１２か否かを判断する（ステップＳ１０７）。ステップＳ１０７の判断処理において、選択されたのはメール受信アイコン５１３であると判断したときには、制御部２００は、自分宛ての電子メールのダウンロードを行うための電子メールの受信ルーチンを実行する（ステップＳ１０８）。
【０１１０】
この電子メールの受信ルーチン終了後においてもまた、制御部２００は、前述の電子メールの作成ルーチン終了後と同様に、ステップＳ１０１からの処理を繰り返し、再度、電子メールの作成、送信、受信、終了の選択ができるようにする。
【０１１１】
また、ステップＳ１０７の判断処理において、選択されたのは、メール受信アイコン５１３ではないと判断した場合には、選択されたのは、終了アイコン５１４であると判断し、この実施の形態において、制御部２００は、表示装置２を選局装置１からの放送信号を受信するテレビモードとなるようにして、この図１０に示す電子メールについての処理を終了する。
【０１１２】
なお、この実施の形態においては、ステップＳ１０２において、ＴＶキー２９４、Ｅ−ｍａｉｌキー２９５、インターネットキー２９６が押下された場合にも、制御部２００は、電子メールについての処理の終了指示が入力されたと判断し、押下されたモードキーに応じたモードに遷移するようにされている。
【０１１３】
このように、この実施の形態においては、表示装置２を用いて、電子メールの作成、送信、受信ができるようにされている。以下に、電子メールの作成、送信、受信のそれぞれについて説明する。
【０１１４】
［電子メールの作成処理］
図１１は、図１０に示したステップＳ１０４において行なわれる電子メールの作成処理を説明するためのフローチャートである。この処理は、前述のように、表示装置２のＬＣＤ２５に表示された電子メールについての処理の初期画面（図５）において、メール作成アイコン５１１が選択された場合に実行される処理である。
【０１１５】
メール作成アイコン５１１が選択されると、表示装置２の制御部２００は、図６に示した電子メールの作成画面を表示し（ステップＳ２０１）、ソフトウエアキーボード５２３を通じて、電子メールの作成入力を受け付ける（ステップＳ２０２）。ここで受け付けられた入力情報は、ＲＡＭ２０３に一時記憶される。つまり、ＲＡＭ２０３に電子メールが作成される。
【０１１６】
制御部２００は、電子メールの作成画面において、右上端部に表示された送信アイコン５２４、保存アイコン５２５、終了アイコン５２６のいずれかが選択されると、電子メールの入力は終了したと判断し、選択されたアイコンは、送信アイコン５２４か否かを判断する（ステップＳ２０３）。
【０１１７】
ステップＳ２０３の判断処理において、選択されたアイコンが、送信アイコン５２４であると判断したときには、制御部２００は、前述もしたように、ＥＥＰＲＯＭ２０４に予め記憶するようにされているＩＳＰの電話番号や暗証番号などの必要な情報を含む電子メールの送信要求を生成し（ステップＳ２０４）、これを送信信号形成部２８、送信処理部２２Ｓ、共用器２２Ｋ、送受信アンテナ２１を通じて、選局装置１に無線送信する（ステップＳ２０５）。
【０１１８】
この電子メールの送信要求に応じて、選局装置１は、モデム部１１０を通じて、使用者が加入しているＩＳＰとの間に電話回線を接続処理を行い、その結果を無線送信してくるので、表示装置２は、選局装置１からの応答を受信する（ステップＳ２０６）。この場合、選局装置１からの応答は、表示装置２の受信処理部２２Ｒを通じて制御部２００に供給される。
【０１１９】
そして、制御部２００は、電子メールの送信要求に応じて、選局装置１と目的とするＩＳＰとの間に電話回線が接続されたか否かを判断する（ステップＳ２０７）。ステップＳ２０７の判断処理において、電話回線が接続されたと判断したときには、制御部２００は、ＲＡＭ２０３に作成した電子メールを、送信信号形成部２８、送信処理部２２Ｓ、共用器２２Ｋ、送受信アンテナ２１を通じて選局装置１に無線送信する（ステップＳ２０８）。
【０１２０】
そして、制御部２００は、作成された電子メールの選局装置１への送信が終了すると、電話回線の切断要求を形成して選局装置１に送信し、選局装置１とＩＳＰとの間に接続された電話回線を切断させるようにする切断処理を実行し（ステップＳ２０９）この図１１に示す電子メールの作成処理を終了する。
【０１２１】
なお、ステップＳ２０７の判断処理において、選局装置１からの応答が、電話回線が接続できなかったことを示すものであるときには、制御部２００は、ステップＳ２０２からの処理を繰り返す。この場合には、再度、送信アイコン５２４を選択するようにすれば、ＲＡＭ２０３に作成した電子メールの再度の送信を行うことができる。また、保存アイコン５２５を選択すれば、後述のように、ＲＡＭ２０３に作成した電子メールを保存するなどのことができる。
【０１２２】
そして、ステップＳ２０３の判断処理において、図６に示した電子メールの作成画面において、選択されたアイコンが、送信アイコン５２４でないと判断した場合には、表示装置２の制御部２００は、選択されたアイコンは、保存アイコン５２５であるか否かを判断する（ステップＳ２１０）。
【０１２３】
ステップＳ２１０の判断処理において、選択されたアイコンが、保存アイコン５２５であると判断した場合には、制御部２００は、ＲＡＭ２０３に作成された電子メールを不揮発性メモリであるＥＥＰＲＯＭ２０４に保存する（ステップＳ２１１）。これにより、電子メールの作成画面を通じてＲＡＭ２０３に作成した電子メールを、表示装置２の主電源が落とされた後においても、ＥＥＰＲＯＭ２０４に記憶保持し、後で送信するようにすることができる。
【０１２４】
そして、ステップＳ２１１において、電子メールをＥＥＰＲＯＭ２０４に保存した後においては、制御部２００は、この図１１に示す処理を終了する。また、ステップＳ２１０の判断処理において、選択されたのは保存アイコン５２５でないと判断したときには、表示装置２の制御部２００は、選択されたのは、終了アイコン５２６であると判断し、電子メールの送信や保存を行うことなく、この図１１に示す処理を終了し、図１０に示した処理に戻る。
【０１２５】
［電子メールの送信処理］
図１２は、図１０に示したステップＳ１０６において行なわれる電子メールの送信処理を説明するためのフローチャートである。この処理は、前述のように、表示装置２のＬＣＤ２５に表示された電子メールについての処理の初期画面（図５）において、メール送信アイコン５１２が選択された場合に実行される処理である。
【０１２６】
メール送信アイコン５１２が選択されると、表示装置２の制御部２００は、図７に示した作成済み電子メールリストを表示装置２のＬＣＤ２５に表示し（ステップＳ３０１）、送信する作成済み電子メールの選択入力を受け付ける（ステップＳ３０２）。
【０１２７】
そして、制御部２００は、選択された作成済み電子メールの表示欄にカーソル５３２を位置付け（ステップＳ３０３）、選択した作成済み電子メールを送信するか否かの確認入力を受け付ける（ステップＳ３０４）。そして、制御部２００は、ステップＳ３０４において、図７に示した作成済み電子メールリストにおいて、右上端部に表示された送信アイコン５３６が選択されたか否かを判断する（ステップＳ３０５）。
【０１２８】
ステップＳ３０５の判断処理において、送信アイコン５３６が選択されたと判断したときには、図１１に示したステップＳ２０４からの処理と同様に、制御部２００は、ＥＥＰＲＯＭ２０４に予め記憶するようにされているＩＳＰの電話番号や暗証番号などの必要な情報を含む電子メールの送信要求を生成し（ステップＳ３０６）、これを送信信号形成部２８、送信処理部２２Ｓ、共用器２２Ｋ、送受信アンテナ２１を通じて、選局装置１に無線送信する（ステップＳ３０７）。
【０１２９】
この電子メールの送信要求に応じて、選局装置１は、モデム部１１０を通じて、使用者が加入しているＩＳＰとの間に電話回線を接続処理を行い、その結果を無線送信してくるので、表示装置２は、選局装置１からの応答を受信する（ステップＳ３０８）。この場合、選局装置１からの応答は、表示装置２の受信処理部２２Ｒを通じて制御部２００に供給される。
【０１３０】
そして、制御部２００は、電子メールの送信要求に応じて、選局装置１と目的とするＩＳＰとの間に電話回線が接続されたか否かを判断する（ステップＳ３０９）。ステップＳ３０９の判断処理において、電話回線が接続されたと判断したときには、制御部２００は、選択した作成済み電子メールをＥＥＰＲＯＭ２０４から読み出し、これを送信信号形成部２８、送信処理部２２Ｓ、共用器２２Ｋ、送受信アンテナ２１を通じて選局装置１に無線送信する（ステップＳ３１０）。
【０１３１】
そして、制御部２００は、選択した作成済み電子メールの選局装置１への送信が終了すると、電話回線の切断要求を形成して選局装置１に送信し、選局装置１とＩＳＰとの間に接続された電話回線を切断させるようにする切断処理を実行し（ステップＳ３１１）、この図１２に示す処理を終了し、図１０に示した処理に戻る。
【０１３２】
なお、ステップＳ３０９の判断処理において、選局装置１からの応答が、電話回線が接続できなかったことを示すものであるときには、制御部２００は、ステップＳ３０１からの処理を繰り返す。これにより、送信アイコン５２４を選択するようにすれば、選択した作成済み電子メールの再度の送信を行うことができる。
【０１３３】
また、ステップＳ３０５の判断処理において、図７に示した作成済み電子メールリストにおいて、選択されたアイコンが、送信アイコン５３３でないと判断した場合には、制御部２００は、選択されたアイコンは、終了アイコン５３４であると判断し、この図１２に示す処理を終了する。
【０１３４】
［電子メールの受信処理］
図１３は、図１０に示したステップＳ１０８において行なわれる電子メールの受信処理を説明するためのフローチャートである。この処理は、前述のように、表示装置２のＬＣＤ２５に表示された電子メールについての処理の初期画面（図５）において、メール受信アイコン５１３が選択された場合に実行される処理である。
【０１３５】
メール受信アイコン５１３が選択されると、表示装置２の制御部２００は、図８に示した確認入力画面を表示装置２のＬＣＤ２５に表示し（ステップＳ４０１）、使用者宛ての電子メールをダウンロードして読むか否かを受け付ける（ステップＳ４０２）。
【０１３６】
そして、制御部２００は、図８に示した確認入力画面において、読むアイコン５４１が選択され、使用者宛ての電子メールの受信が指示されたか否かを判断する（ステップＳ４０３）。ステップＳ４０３の判断処理において、使用者宛ての電子メールの受信が指示されたと判断したときには、制御部２００は、ＥＥＰＲＯＭ２０４に記憶しているＩＳＰの電話番号や暗証番号を含む電子メールの提供要求を形成する（ステップＳ４０４）。
【０１３７】
そして、制御部２００は、ステップＳ４０４において形成した提供要求を送信信号形成部２８、送信処理部２２Ｓ、共用器２２Ｋ、送受信アンテナ２１を通じて、選局装置１に送信する（ステップＳ４０５）。
【０１３８】
この電子メールの提供要求に応じて、選局装置１は、モデム部１１０を通じて、使用者が加入しているＩＳＰとの間に電話回線を接続処理を行い、その結果を無線送信してくるので、表示装置２は、選局装置１からの応答を受信する（ステップＳ４０６）。この場合、選局装置１からの応答は、表示装置２の受信処理部２２Ｒを通じて制御部２００に供給される。
【０１３９】
そして、制御部２００は、電子メールの提供要求に応じて、選局装置１と目的とするＩＳＰとの間に電話回線が接続されたか否かを判断する（ステップＳ４０７）。ステップＳ４０７の判断処理において、電話回線が接続されたと判断したときには、制御部２００は、続いて使用者宛ての電子メールが選局装置１から無線送信されてくるので、これを受信する（ステップＳ４０８）。
【０１４０】
そして、制御部２００は、受信した電子メールをＲＡＭ２０３などのメモリに格納して、図９に示したように、ＬＣＤ２５に表示し（ステップＳ４０９）、使用者に提供する。そして、この実施の形態においては、使用者宛ての電子メールをすべて表示装置に取り込んで表示できるようにした後においては、電話回線の切断要求を形成して選局装置１に無線送信し、選局装置１とＩＳＰとの間に接続された電話回線を切断させるようにする切断処理を実行し（ステップＳ４１０）この図１３に示す電子メールの受信処理を終了する。
【０１４１】
また、ステップＳ４０７の判断処理において、選局装置からの応答が、目的とするＩＳＰとの間に電話回線が接続できなかったことを示すものであるときには、制御部２００は、ステップＳ４０１からの処理を繰り返し、再度、確認入力を行うことができるようにされる。
【０１４２】
また、ステップＳ４０３において、読むアイコン５４１が選択されていないと判断したときには、この実施の形態においては、終了アイコン５４２が選択されたものと判断し、この実施の形態においては、この図１３に示す処理を終了する。
【０１４３】
［電子メールについての選局装置１における処理］
次に、前述したように表示装置２からの要求に応じて、電話回線を接続し、電子メールの送受信を行えるようにする選局装置２においての処理について、図１４のフローチャートを参照しながら説明する。
【０１４４】
選局装置１に主電源が投入されると、選局装置１の制御部１００は、図１４に示す処理を実行する。選局装置１の制御部１００は、受信処理部１７Ｒからの信号を監視し、表示装置２から無線送信されてくる各種要求を受信したか否かを判断する（ステップＳ５０１）。ステップＳ５０１の判断処理は、表示装置２から無線送信されてくる各種の要求を受信するまで繰り返し行なわれる。
【０１４５】
ステップＳ５０１の判断処理において、表示装置２からの要求を受信したと判断したときには、制御部１００は、受信した表示装置２からの要求は、電子メールを相手先に送信するようにする送信要求か否かを判断する（ステップＳ５０２）。
【０１４６】
ステップＳ５０１の判断処理において、表示装置２から要求が、電子メールの送信要求であると判断した場合には、制御部１００は、表示装置２からの受信した送信要求に含まれるＩＳＰの電話番号や暗証番号などを用いて、モデム部１１０、電話線Ｌを通じて、目的とするＩＳＰに電話を掛けて、電話回線を接続するようにするとともに、ＩＳＰからの応答を確認するなどして、電話回線の接続処理が成功したか否かを表示装置２に送信する（ステップＳ５０３）。
【０１４７】
そして、制御部１００は、電話回線の接続処理が成功したか否かを判断する（ステップＳ５０４）。ステップＳ５０４に判断処理において、電話回線が接続されたと判断した場合には、制御部１００は、表示装置２から無線送信されてくる電子メールを、接続した電話回線とＩＳＰおよびインターネットを通じて、目的とする相手先のメールボックスに送信する（ステップＳ５０５）。
【０１４８】
このステップＳ５０５の処理の後、制御部１００は、ステップＳ５０１からの処理を繰り返し、表示装置２からの要求の受信待ちとなる。また、ステップＳ５０４の判断処理において、電話回線の接続に成功しなかったと判断したたときには、電話回線を通じての通信はできないので、ステップＳ５０１からの処理を繰り返し、表示装置２からの要求の受信待ちになる。
【０１４９】
また、ステップＳ５０２の判断処置において、受信した表示装置２からの要求は、電子メールの送信要求ではないと判断した場合には、制御部１００は、受信した表示装置２からの要求は、使用者宛て電子メールの提供要求（ダウンロード要求）か否かを判断する（ステップＳ５０６）。
【０１５０】
ステップＳ５０６の判断処理において、電子メールの提供要求だと判断した場合には、制御部１００は、提供要求に含まれるＩＳＰや暗証番号に基づいて、目的とするＩＳＰとの間に電話回線に接続し、その接続結果を表示装置２に通知する接続処理を実行する（ステップＳ５０７）。
【０１５１】
そして、制御部１００は、目的とするＩＳＰとの間に、電話回線が接続されたか否かを判断する（ステップＳ５０８）。ステップＳ５０８の判断処理において、電話回線が接続されたと判断したときには、選局装置１の制御部１００は、電話回線Ｌ、モデム部１１０を通じて、ＩＳＰから送信されてくる受信電子メールから送信情報を形成し、これをスイッチ回路１４、圧縮処理部１３、送信信号形成部１７Ｓ、共用器１７Ｋ、送受信アンテナ１８を通じて、表示装置２に無線送信する（ステップＳ５０９）。
【０１５２】
このステップＳ５０９の処理においては、スイッチ回路１４は、制御部１００からの切り換え制御信号により、入力端ｂ側に切り換えられる。これにより、表示装置２は、選局装置１の制御部１００通じて入手するようにした、当該使用者宛ての電子メールを受信し、この受信した電子メールをＬＣＤ２５の表示画面に表示して、使用者に提供することができる。
【０１５３】
このステップＳ５０９の処理の後、制御部１００は、ステップＳ５０１からの処理を繰り返し、表示装置２からの要求の受信待ちとなる。また、ステップＳ５０８の判断処理において、電話回線の接続に成功しなかったと判断したときには、電話回線を通じての通信はできないので、ステップＳ５０１からの処理を繰り返し、表示装置２からの要求の受信待ちになる。
【０１５４】
また、ステップＳ５０６の判断処理において、表示装置２からの要求が、電子メールの提供要求でないと判断した場合には、接続した電話回線の切断要求か否かを判断する（ステップＳ５１０）。ステップＳ５１０の判断処理において、表示装置２からの要求が電話回線の切断要求であると判断したときには、制御部１００は、ＩＳＰとの間に接続した電話回線を切断する処理を行い（ステップＳ５１１）、ステップＳ５０１からの処理を行うようにする。
【０１５５】
また、ステップＳ５１０の判断処理において、表示装置２からの要求は、電話回線の切断要求でないと判断したときには、選局装置１の制御部１００は、その要求に応じた処理、例えば、選局チャンネルの変更処理などを行い（ステップＳ５１２）、ステップＳ５０１からの処理を繰り返す。
【０１５６】
このように、この実施の形態の選局装置１は、表示装置２から無線送信されてくる各種の要求を受信し、その受信した要求に応じて電子メールを送信したり、また、使用者宛ての電子メールをダウンロードするようにしたり、また、テレビ放送信号の選局チャンネルを変えるようにすることができる。
【０１５７】
また、上述の実施の形態においては、電子メールを送信、受信する場合を例にして説明したが、インターネットに接続し、インターネット上に提供された情報を取得するようにしたり、インターネット上に情報を送信したりすることも、電子メールの送受信の場合と同様にして行うことができる。
【０１５８】
このように、相互に無線通信を行うことができるようにされたこの実施の形態の選局装置１と、表示装置２とを用いることによって、選局装置１と選局装置２とが良好に無線通信を行うことが可能な領域内においては、何処ででも表示装置２を通じて目的とするテレビ放送番組を視聴するようにしたり、電子メールを送信したり、自分あての電子メールをダウンロードして読むようにしたり、インターネットを通じて必要な情報を得るようにすることができる。
【０１５９】
そして、選局装置１は、屋内に引き込まれたアンテナケーブル１１ｃｂと電話線Ｌとに接続可能な位置であれば、何処に設置するようにしてもよい。そして、表示装置２は、選局装置１との間で無線通信できる範囲内であれば、何処でも用いることができる。つまり、選局装置１を設置してしまえば、表示装置２を自分の部屋や庭先など、使用者の好みの場所に持ち運んで使用することができる。
【０１６０】
したがって、テレビ番組の視聴や電子メールの送受信あるいはインターネットの利用は、従来のように、アンテナケーブルに設置されたテレビ受像機の設置されたところ、あるいは、電話線に接続されたパーソナルコンピュータの設置されたところというように、固定的に定めることなく、使用者の好みに応じた場所で行うことが可能となる。
【０１６１】
なお、ここでは、電子メールの作成、作成済み電子メールの送信、使用者相手の電子メールの受信を行う場合について説明したが、ＥＥＰＲＯＭ２０４に保持されている電子メールの修整を行って送信したり、ＥＥＰＲＯＭ２０４に保持している電子メールを削除したりすることももちろんできる。
【０１６２】
［第２の実施の形態］
前述した第１の実施の形態は、選局装置と表示装置とがともに１台の場合を例にして説明した。しかし、家族が多い場合など、複数の表示装置を用いたい場合もある。しかし、選局装置も表示装置に対応して複数台設置するようにしたのでは、屋外から屋内に引き込まれるアンテナケーブルや電話線との接続端子を屋内の壁などに複数個設けなければならなくなってしまう。そこで、この第２の実施の形態においては、１台の選局装置を複数の表示装置で共用するようにしたものである。
【０１６３】
図１５は、この第２の実施の形態の概要を説明するための図である。この第２の実施の形態のテレビ受信システムは、図１５に示すように、選局装置３と、３台の表示装置４乃至６とにより構成されている。選局装置３と、表示装置４乃至６のそれぞれとは、前述した第１の実施の形態の場合と同様に、無線接続される。
【０１６４】
選局装置３は、前述した第１の実施の形態の選局装置１と同様に、屋外から屋内に引き込まれたアンテナケーブルの接続端子および電話線との接続端子との双方に接続可能な位置に設置されて用いられる。そして、この第２の実施の形態の選局装置３は、後述もするように、複数の選局部や復調部を備え、表示装置４乃至６のそれぞれに対して、内容の異なる送信信号を送信することができるとともに、表示装置４乃至６のそれぞれからの無線信号を受信して、そのそれぞれに対応した処理を行うことができるものである。
【０１６５】
また、表示装置４乃至６のそれぞれは、前述した第１の実施の形態の表示装置２とほぼ同様に構成されたものであるが、制御部からの制御に応じて、選局装置３からの送信信号であって、自機宛ての送信信号のみを受信することができるようにしたものである。
【０１６６】
［選局装置３について］
図１６は、この第２の実施の形態の選局装置３の一例を説明するためのブロック図である。この図１６に示す選局装置３は、選局部、復調部、スイッチ回路、圧縮処理部、送信信号形成部を複数段（この第２の実施の形態においては３段）備えたものである。
【０１６７】
すなわち、この第２の実施の形態の選局装置３において、選局部３２ａ、３２ｂ、３２ｃ、復調部３３ａ、３３ｂ、３３ｃ、スイッチ回路３４ａ、３４ｂ、３４ｃ、圧縮処理部３５ａ、３５ｂ、３５ｃ、送信信号形成部３６ａ、３６ｂ、３６ｃのそれぞれは、図２に示した第１の実施の形態の選局部１２、復調部１３、スイッチ回路１４、圧縮処理部１５、送信信号形成部１６の対応する各部と同様に構成されたものである。
【０１６８】
これにより、この第２の実施の形態の選局装置３は、アンテナ３１により受信されたテレビ放送信号から、同時に３つのことなるテレビ放送信号を選局して、復調し、そのそれぞれの送信信号を形成することができるように構成されている。そして、送信信号形成部３６ａ、３６ｂ、３６ｃのそれぞれで形成された送信信号は、無線部３７の送信処理部３７Ｓに供給される。
【０１６９】
この実施の形態の選局装置３の無線部３７は、前述した第１の実施の形態の選局装置１の無線部１７と同様に、送信処理部３７Ｓ、受信処理部３７Ｒ、共用器３７Ｋを備えたものである。しかし、この第２の実施の形態の選局装置３の送信処理部３７Ｓは、送信信号形成部３６ａ、３６ｂ、３６ｃのそれぞれからの送信信号の供給を受け、そのそれぞれを異なる周波数帯域の信号に変調することができるものである。
【０１７０】
このように、送信信号形成部３６ａ、３６ｂ、３６ｃのそれぞれからの送信信号は、送信処理部３７Ｓにおいて、異なる周波数帯域の信号に変調され、共用器
３７Ｋ、送受信アンテナ３８を通じて、この第２の実施の形態の表示装置４乃至６に対して無線送信される。
【０１７１】
また、この第２の選局装置３の受信処理部３７は、送受信アンテナ３８、共用器３７Ｋを通じて受信した表示装置４乃至６からの無線信号を復調し、制御部３００に供給する。この場合、表示装置４乃至６からの無線信号は、どの表示装置からのものであるかを示す情報を含み、制御部３００が、どの表示装置からの信号であるかを判別することができるようにされている。
【０１７２】
なお、共用器３７Ｋは、前述した第１の実施の形態の選局装置１の共用器１７Ｋと同様に、送信信号と受信信号とが干渉し合ってしまうことを防止するものであり、送信処理部１７Ｓからの送信信号が、送受信アンテナ３８を通じて受信される受信信号に対して干渉することがないようにするものである。
【０１７３】
また、この第２の実施の形態において、選局装置３の各部を制御する制御部３００は、図２に示した第１の実施の形態の選局装置１の制御部１００と同様に、ＣＰＵ３０１、ＲＯＭ３０２、ＲＡＭ３０３、ＥＥＰＲＯＭ３０４がＣＰＵバス３０６に接続されて、マイクロコンピュータの構成とされたものである。そして、この選局装置３の制御部３００は、図１６に示すように、各部を個別に制御することができるようにされている。
【０１７４】
また、この第２の実施の形態の選局装置３もまた、図２に示した第２の実施の形態の選局装置１と同様に、Ｉ／Ｆ部３１１、通信部３１２からなるモデム部３１０を備えている。そして、電話回線Ｌ、モデム部３１０を通じて各種の情報を受信して、スイッチ回路３４ａ、３４ｂ、３４ｃ、圧縮処理部３５ａ、３５ｂ、３５ｃ、送信信号形成部３６ａ、３６ｂ、３６を通じて、表示装置４乃至６に送信したり、また、表示装置４乃至６からの電子メールなどの情報を、モデム部３１０、電話線Ｌを通じて、目的とする相手に送信こともできる。
【０１７５】
［表示装置４乃至６について］
上述のように、周波数帯域の異なる３つの送信信号の送出が可能な選局装置３からの送信信号を受信する表示装置４乃至６のそれぞれは、図３に示した第１の実施の形態の表示装置２とほぼ同様に構成されたものである。しかし、この実施の形態の表示装置４乃至６のそれぞれは、受信する無線信号の周波数帯域および送信する無線信号の周波数帯域が異なるようにされている。
【０１７６】
以下においては、この第２の実施の形態の表示装置４乃至６は、図３に示す構成を有するものとして、図３を参照しながら説明する。この第２の実施の形態の表示装置４乃至６のそれぞれは、いづれも、図３に示した構成を有するものである。
【０１７７】
しかし、表示装置４乃至６のそれぞれの、無線部２２の受信処理部２２Ｒにおいて受信可能な無線信号の周波数帯域は異なるようにされいる。例えば、表示装置４の受信処理部２２Ｒは、選局装置３の選局部３２ａ、復調部３３ａ、圧縮処理部３４ａ、送信信号形成部３５ａを通じて処理された送信信号の周波数帯域を受信周波数帯域とするものである。
【０１７８】
また、表示装置５の受信処理部２２Ｒは、選局装置３の選局部３２ｂ、復調部３３ｂ、圧縮処理部３４ｂ、送信信号形成部３５ｂを通じて処理された送信信号の周波数帯域を受信周波数帯域とするものでる。同様に、表示装置６の受信処理部２２Ｒは、選局装置３の選局部３２ｃ、復調部３３ｃ、圧縮処理部３４ｃ、送信信号形成部３５ｃを通じて処理された送信信号の周波数帯域を受信周波数帯域とするものでる。
【０１７９】
これにより、表示装置４乃至６のそれぞれは、選局装置３からの送信信号のうち、自機宛ての送信信号のみを受信し、これを復調して、使用者に提供することができる。
【０１８０】
また、表示装置４乃至６のそれぞれの、無線部２２の送信処理部２２Ｓは、他の表示装置とは異なる周波数帯域の無線信号を送信するようにしている。このようにすることにより、表示装置４乃至６のそれぞれから、同時に選局装置に指示情報などの無線信号が送信された場合であっても、混信することがないようにされる。
【０１８１】
選局装置３の受信処理部３７Ｒは、表示装置４乃至６のそれぞれからの周波数帯域の異なる無線信号を受信して、そのそれぞれを復調して、復調後のデータを制御部３００に供給することができるものである。
【０１８２】
また、表示装置４乃至６のそれぞれの送信信号形成部２８は、自機に予め割り当てられている識別ＩＤを付加した送信信号を形成する。これにより、無線送信される各表示装置４乃至６からの送信信号には、そのそれぞれを識別することが可能な識別ＩＤが含まれているので、選局装置３においては、受信処理部３７Ｒから供給されるデータに含まれる識別ＩＤに基づいて、どの表示装置からの送信データであるかを判別し、判別した送信装置に対する処理を実行することができる。
【０１８３】
例えば、表示装置４からの選局指示信号が選局装置３により受信された場合には、選局装置３の制御部３００は、選局部３２ａを制御する。また、表示装置５からの選局指示信号が選局装置３により受信された場合には、選局装置３の制御部３００は、選局部３２ｂを制御する。同様に、表示装置６からの選局指示信号が選局装置３により受信された場合には、選局装置３の制御部３００は、選局部３２ｃを制御する。
【０１８４】
また、表示装置４からの電話線Ｌ、モデム部３１０を通じて得た情報の提供要求が選局装置３により受信された場合には、選局装置３の制御部３００は、スイッチ回路３３ａを制御し、入力端ｂ側の信号を出力するように切り換える。表示装置５からの電話線Ｌ、モデム部３１０を通じて得た情報の提供要求が選局装置３により受信された場合には、選局装置３の制御部３００は、スイッチ回路３３ｂを制御し、入力端ｂ側の信号を出力するように切り換える。
【０１８５】
同様に、表示装置６からの電話線Ｌ、モデム部３１０を通じて得た情報の提供要求が選局装置３により受信された場合には、選局装置３の制御部３００は、スイッチ回路３３ｃを制御し、入力端ｂ側の信号を出力するように切り換える。このように、表示装置４乃至６のそれぞれは、自機の識別ＩＤを送信信号に付加することにより、選局装置３に対して、表示装置４乃至６からの送信信号に応じた処理を適正に行うことができることができるようにしている。
【０１８６】
なお、選局装置３と、表示装置４乃至６との間においては、どの周波数帯域を、どの表示装置に割り当てるかが予め決められており、送信装置３と、表示装置４乃至６とのそれぞれに設定するようにされている。
【０１８７】
このように、この第２の実施の形態のテレビ受信システムにおいては、表示装置４乃至６のそれぞれが、選局装置３を共用することができるようにされる。
しかも、表示装置４乃至６のそれぞれは、異なるテレビ放送信号による放送番組を使用者に提供することができる。
【０１８８】
また、表示装置４乃至６のそれぞれは、前述した第２の実施の形態の表示装置２と同様に、電話線Ｌ、モデム部３１０を通じて受信した情報の提供を受けたり、電話線Ｌ、モデム部３１０を通じて、目的とする相手先に電子メールや各種の情報を送信することができる。
【０１８９】
なお、この第２の実施の形態の選局装置３においては、送信処理部３８Ｓにおいて、送信信号形成部３６ａ、３６ｂ、３６ｃからの送信信号を異なる周波数帯域の信号となるようにした。しかし、送信信号形成部３６ａ、３６ｂ、３６ｃのそれぞれに対応する送信処理部を設け、そのそれぞれにおいて、周波数帯域の異なる送信信号を形成するようにしてもよい。すなわち、複数の無線部を設けるようにしてもよい。
【０１９０】
［第３の実施の形態］
前述した第２の実施の形態の選局装置３は、送信信号形成部３６ａ、３６ｂ、３６ｃからの送信信号を異なる周波数帯域の信号として送信するようにした。しかし、送信信号は、デジタルデータであり、時分割多重化して送信することもできる。
【０１９１】
そこで、この第３の実施の形態の選局装置は、前述した第２の実施の形態の選局装置３と同様に、同時に異なる３つのテレビ放送信号を選局することができるものであるが、選局した３つのテレビ放送信号から形成する送信信号を、時分割多重化して送信するものである。
【０１９２】
図１７は、この第３の実施の形態の選局装置７を説明するためのブロック図である。図１７に示すように、この実施の形態の選局装置７は、多重化部７０が設けられた他は、図１６に示した選局装置３と同様に構成されたものである。このため、図１７に示すこの第３の実施の形態の選局装置７において、図１６に示した第２の実施の形態の選局装置３と同様に構成される部分には、同じ参照符号を付し、その説明は省略する。
【０１９３】
図１７に示すように、この第３の実施の形態の選局装置７は、送信信号形成部３６ａ、３６ｂ、３６ｃの後段に多重化部７０が設けられている。送信信号形成部３６ａ、３６ｂ、３６ｃのそれぞれにおいて形成された送信信号は、多重化部７０に供給される。
【０１９４】
図１８は、多重化部７０において形成される多重化送信信号を説明するための図である。多重化部７０は、ＴＶ１、ＴＶ２、ＴＶ３、…というように、送信信号形成部３６ａ、３６ｂ、３６ｃのそれぞれからの送信信号を時分割多重化した多重化送信信号を形成する。
【０１９５】
図１８において、ＴＶ１の欄のデータは、送信信号形成部３６ａからの送信信号であり、ＴＶ２の欄のデータは、送信信号形成部３６ｂからの送信信号である。また、図１８において、ＴＶ３の欄のデータは、送信信号形成部３６ｃからの送信信号である。この実施の形態においては、各欄の先頭部分にヘッダ部を設けることにより、送信先の表示装置において、自機用のデータを抽出しやすいようにしている。
【０１９６】
このように、選局装置７の多重化部７０は、送信信号形成部３６ａ、３６ｂ、３６ｃからの送信信号を時分割多重化した多重化送信信号を形成し、これを無線部３７の送信処理部３７Ｓに供給する。送信処理部３７は、多重化部からの多重化送信信号の供給を受けて、これを変調し、増幅し、共用器３７Ｋ、送受信アンテナ３８を通じて、表示装置に無線送信する。
【０１９７】
［表示装置８について］
図１９は、この第３の実施の形態の選局装置からの多重化送信信号を受信する表示装置の構成例を説明するための図である。図１９に示すように、この第３の実施の形態の表示装置８は、抽出部８０を備える他は、図３に示した第１の実施の形態の表示装置２と同様に構成されたものである。
【０１９８】
このため、図１９において、図３に示した第１の実施の形態の表示装置２と同様に構成される部分には、図３に示した第１の実施の形態の表示装置２と同じ参照符号を付し、その説明については省略する。この第３の実施の形態の表示装置８は、送受信アンテナ２１、共用器２２Ｋ、受信処理部２２Ｒを通じて、受信復調された選局装置７からの多重化送信信号は、抽出部８０に供給される。
【０１９９】
抽出部８０は、制御部２００により制御され、図１８に示した多重化送信信号から、自機宛ての送信信号を抽出し、これを伸長処理部２３に供給する。この第３の実施の形態においても、表示装置８は、複数台、この実施の形態においては、３台同時に使用することができるが、各表示装置においては、図１８に示した多重化送信信号のうちの、自機宛ての送信信号が抽出するようにされる。
【０２００】
どの表示装置にどの送信信号を割り当てるかは、前述した第２の実施の形態の場合と同様に、選局装置７と、各表示装置８との間で、予めきめられて設定するようにされる。
【０２０１】
このように、複数の送信信号を時分割多重化して表示装置に提供し、表示装置において、自機あての送信信号を抽出して再生し、使用者に提供することができる。なお、この第３の実施の形態の選局装置７の場合にも、テレビ放送信号による放送番組だけでなく、電話線Ｌ、モデム部３１０を通じて、取得したデータを表示装置８に提供したり、表示装置８からの情報を電話線Ｌ、モデム部３１０を通じて、目的とする相手先に送信することもできる。
【０２０２】
前述した第２、第３の実施の形態においては、３台の表示装置を並列的に使用する場合を例にして説明したが、これに限るものではない。表示装置を４台、５台に増やす場合には、選局装置の選局部や復調部などのそれに応じて複数系統設ければよい。もちろん、２台の表示装置に対応する選局装置を構成することもできる。
【０２０３】
また、複数の表示装置により共用される選局装置であっても、常に、複数の表示装置により使用される必要はない。すなわち、複数の表示装置により共用される選局装置を１台の表示装置で用いるようにしても、問題なく、テレビ番組を見たり、電子メールやインターネットを利用することができる。したがって、複数の表示装置により共用可能な選局装置１台と、表示装置１台を購入して用い、必要が生じた場合に表示装置を新たに購入するようにすることができる。
【０２０４】
なお、前述の第１、第２、第３の実施の形態においては、テレビ放送信号に応じた放送番組を視聴する場合、および、インターネットを通じて電子メールを送信および受信する場合を例にしてその動作を説明した。これに加え、インターネットを通じて、各種のデータを取得して、表示装置を通じて使用者に提供したり、表示装置からの情報をインターネット上に送信することもできる。
【０２０５】
また、表示装置、選局装置を通じて、相手先のファクシミリ端末やパーソナルコンピュータなどに直接的にデータを送信したり、相手先のファクシミリ端末やパーソナルコンピュータなどからのデータを直接的に受信するようにすることもできる。
【０２０６】
また、テレビ放送信号は、アナログテレビ放送信号であってもよいし、デジタル放送信号であってもよい。デジタル放送信号の場合には、１つのデジタル放送信号に複数の放送番組の信号が時分割多重化されて提供されるために、復調部の後段にデ・マルチプレクサを設け、表示装置からの無線信号の指示により、デジタルテレビ放送信号の選局に加え、放送番組の選択もできるようにすればよい。
【０２０７】
また、１つのデジタル放送信号のみを受信できるようにし、そのデジタル放送信号に含まれる複数の放送番組の信号を異なる表示装置に提供する選局装置を構成することもできる。この場合には、選局部、復調部は、１つでよいが、デ・マルチプレクサを表示装置の台数分設けることによって構成することができる。
【０２０８】
また、前述の実施の形態において、表示装置の表示画面にはタッチパネルを貼付し、このタッチパネルを通じて各種の情報の入力を行えるようにした。しかし、これに限るものではない。例えば、表示装置に有線で、あるいは、赤外線などの光通信により、キーボード装置を接続できるようにし、そのキーボード装置を通じて、電子メールの作成など各種の情報の入力をできるようにすることもできる。
【０２０９】
また、表示装置からは選局装置にかかわる信号だけを無線送信するようにすることもできる。また、表示装置においては、使用者からの指示入力のうち、選局装置にかかわるものと、表示装置についてのものとの識別を行わずに、使用者からの指示情報を全て無線送信するようにしてもよい。この場合には、選局装置において、表示装置からの無線信号のうち、選局装置にかかわる情報のみ受け付けるようにすればよい。
【０２１０】
このように、選局装置において、表示装置からの無線信号のうち、選局装置にかかわる情報のみ受け付けるようにする場合には、表示装置を選局装置以外の電子機器の遠隔操作装置として用いることもできる。
【０２１１】
なお、前述の第１、第２、第３の実施の形態においては、選局装置には、電話線が接続されるものとして説明したが、これに限るものではない。例えば、ケーブルテレビ放送の場合には、光ケーブルを通じて、放送番組の提供と、インターネットなどの通信網へのアクセスが可能である。このようなケーブル放送の光ケーブルを通じて、放送番組の信号の提供を受けるとともに、通信回線を接続して通信処理を行うようにする場合にも、この発明を適用することができる。
【０２１２】
また、前述の第３の実施の形態においては、選局装置７は、図１８に示したような多重化送信信号を形成するものとして説明したが、多重化送信信号は、これに限るものではなく、各種のフォーマットの多重化送信信号を形成することができる。
【０２１３】
また、選局装置は、デジタルテレビ放送信号を受信する場合や、通信回線を通じて、データ圧縮された信号を受信する場合には、再度、データ圧縮することなく、圧縮された信号をそのまま送信するようにしてももちろんよい。
【０２１４】
また、前述した実施の形態において、各表示装置は表示素子として、ＬＣＤを用いるようにしたが、陰極線管やプラズマディスプレイなどの他の表示素子を用いるようにしてもよい。
【０２１５】
また、前述した実施の形態の電子メールの作成、送信、受信の各処理も、前述した実施の形態のものに限るものではなく、ソフトウエアにより、様々な態様で、電子メールの作成、送信、受信処理や、その他の処理を行うようにすることができる。
【符号の説明】
【０２１６】
２  表示装置，  ２２  無線部，  ２２Ｒ  受信処理部，２５  ＬＣＤ，  ２９４  テレビモードへの切り換えキー，  ２９５  電子メールモードへの切り換えキー，  ２９６  インターネットモードへの切り換えキー
【図１】
2010206833.tif 000003
【図２】
2010206833.tif 000004
【図３】
2010206833.tif 000005
【図４】
2010206833.tif 000006
【図５】
2010206833.tif 000007
【図６】
2010206833.tif 000008
【図７】
2010206833.tif 000009
【図８】
2010206833.tif 000010
【図９】
2010206833.tif 000011
【図１０】
2010206833.tif 000012
【図１１】
2010206833.tif 000013
【図１２】
2010206833.tif 000014
【図１３】
2010206833.tif 000015
【図１４】
2010206833.tif 000016
【図１５】
2010206833.tif 000017
【図１６】
2010206833.tif 000018
【図１７】
2010206833.tif 000019
【図１８】
2010206833.tif 000020
【図１９】
2010206833.tif 000021